(57)【要約】【課題】  ティマークの底面に脚部を設けることにより、ティグラウンドとティマークの底面との間に所定の空間を確保し、その結果、芝を押し潰すことなく、且つ、良好な通気性を確保するティマークを得る。【解決手段】  ティグラウンド４とティマーク１の底面との間に所定の空間Ｄを確保する為の脚部３ｄを具備する。【選択図】  図１
0003129592.tif 000002
【実用新案登録請求の範囲】
【請求項１】
ティグラウンドの所定の位置に配置されるティマークであって、
前記ティグラウンドと前記ティマークの底面との間に所定の空間を確保する為の脚部を
具備したことを特徴とするティマーク。
【請求項２】
所望のデザイン或いは所望の情報を表示する為の本体部と、
前記本体部を載置する為のベース部とから構成された
ことを特徴とする請求項１に記載のティマーク。
【考案の詳細な説明】
【技術分野】
【０００１】
この考案は、ゴルフ場のティグラウンドの所定の位置に配置されるティマークに関する。
【背景技術】
【０００２】
従来のティマークについて、図９及び図１０を用いて説明する。
【０００３】
図９及び図１０は、従来のティマークをティグラウンドに配置した際の状態を示す側面図である。
【０００４】
尚、図９及び図１０に示すティマークはサイズが異なるのみであり、その用途、機能は同一である。従って、同一の用途、機能を示す構成要素には同一の符号を付している。
【０００５】
図９及び図１０において、１１は従来のティマークである。
【０００６】
図９に示すティマーク１１は、所望のデザインや所望の情報を表示する為の表示部１２ａを有した本体部１２と、本体部１２を載置する為のベース部１３から構成されている。
【０００７】
ベース部１３には、芝１４ａが植え込まれたティグラウンド１４に対し突き刺して、ティマーク１１を固定配置する為の鋭利部１３ａが、一体に或いは別体に設けられている。
【０００８】
一方、図１０に示すティマーク１１は、本体部１２に対し直接鋭利部１３ａが、一体に或いは別体に設けられている。即ち、図１０に示すティマーク１１には、図９に示すティマーク１１に構成されているベース部１３ａが存在しない。
【０００９】
尚、ティマーク１１にベース部１３ａが存在するか否かについては、生産性、組立性、生産コスト等により適宜定められるものである。
【考案の開示】
【考案が解決しようとする課題】
【００１０】
上述した従来のティマーク１１は、ティグラウンド１４に固定配置した状態において、ティマーク１１の底面がティグラウンド１４に略当接されることとなる。
【００１１】
従って、ティグラウンド１４に植え込まれた芝１４ａは、ティマーク１１により押し潰されてしまうという問題があった。
【００１２】
又、芝１４ａを押し潰すことを回避する為、ティグラウンド１４に突き刺す鋭利部１３ａの長さを調整して、ティマーク１１の底面とティグラウンド１４との間に空間を確保して、ティマーク１１を固定配置した場合には、ティマーク１１の安定性が悪く、傾く等の問題があった。
【００１３】
更に、上述のように、ティグラウンド１４に突き刺す鋭利部１３ａの長さを調整した場合においても、十分な空間を確保することは困難であり、従って、芝１４ａを押し潰すことを抑制することは可能であったとしても、通気性が悪く、芝１４ａを枯らしてしまう等の問題があった。
【００１４】
この考案は、上述のような課題を解決する為になされたものであり、ティマークの底面に脚部を設けることにより、ティグラウンドとティマークの底面との間に所定の空間を確保し、その結果、芝を押し潰すことなく、且つ、良好な通気性を確保するティマークを得るものである。
【課題を解決するための手段】
【００１５】
この考案に係るティマークは、ティグラウンドとティマークの底面との間に所定の空間を確保する為の脚部を具備したことを特徴とする。
【考案の効果】
【００１６】
この考案に係るティマークにおいては、ティマークの底面に脚部を設けることにより、ティグラウンドとティマークの底面との間に所定の空間を確保し、その結果、芝を押し潰すことなく、且つ、良好な通気性を確保することが出来る。
【考案を実施するための最良の形態】
【００１７】
実施の形態１．
以下、本実施の形態１におけるティマークについて、図面に基づいて説明する。
【００１８】
図１は、本考案を実施する為の実施の形態１におけるティマークをティグラウンドに固定配置した状態を示す側面図である。
【００１９】
図１において、１はティマークであり、所望のデザインや所望の情報を表示する為の表示部２ａを有した本体部２及び、本体部２を載置する為のベース部３から構成されている。
【００２０】
図２は、ベース部３の一側面図である。
【００２１】
図３は、本体部２が位置する方向から見たベース部３の上面図である。
【００２２】
図４は、図３と反対方向から見たベース部３の下面図である。
【００２３】
図５は、図３に示すＡ−Ａ断面図である。
【００２４】
以下、図１〜図５を用いて、ベース部３の構成について説明する。
【００２５】
ベース部３は、その略中心位置にボス３ｃが一体に形成され、雌ねじ部が貫通している。
そして、当該雌ねじ部には、先端が鋭利形状をなした棒状部材３ａ（以下、鋭利部３ａと称す）が螺合接続されている。
【００２６】
尚、本実施の形態１では、ボス３ｃに鋭利部３ａを螺合させた状態にて、ロックナット３ｂを締結することにより、ボス３ｃに対し鋭利部３ａを固定している。
【００２７】
又、本実施の形態１では、鋭利部３ａはベース部３の上面（本体部２が位置する側）に突出しているが、本体部２には鋭利部３ａの逃げ穴（図１参照）が形成されており、本体部２とベース部３の接続固定に支障がないように工夫されている。
【００２８】
ベース部３は、外周部に脚部３ｄが一体に形成されている。脚部３は、本発明の要旨に係る構成要素であり、ティマーク１をティグラウンド４に固定配置する際、ティマーク１の底面とティグラウンド４との間に所定の空間Ｄを確保する機能を有す。
【００２９】
尚、本実施の形態１では、ベース部３を形成するに当たり、ボス部３ｃ及び脚部３ｄを一体に、鋭利部３ａを別体に構成したが、これに限られるものではない。又、脚部３ｄは、１８０°間隔に３個形成したが、これに限れるものではない。即ち、本実施の形態１に示す形成方法、形成位置、形成個数等は一例であり、適宜定めれば良い。
【００３０】
ベース部３は、図３及び図４に示すように、平面部に穴３ｅが２箇所設けられている。穴３ｅは、本体部２とベース部３を接続固定する際に、固定用のねじ（図示せず）を貫通される為の穴として機能する。即ち、本体部２には、穴３ｅに対応した位置に雌ねじ（図示せず）が形成されている。
【００３１】
尚、本実施の形態１では、ティマーク１を、本体部２及びベース部３から構成したが、これに限らず、本体部２とベース部が一体に形成されていても良い。即ち、本体部２の底面（ティグラウンド４と対向する側）に直接的に鋭利部３ａ及び脚部３ｄ等が設けられた構成でも良い。
【００３２】
但し、本実施の形態１に示すティマーク１の通り、本体部２及びベース部３を別体に構成した場合、芝３ａの密度や長さ等に応じた脚部３ｄを有したベース部３を適宜選択出来るという利便性が得られる。
【００３３】
以下、ティマーク１の使用方法について説明する。
【００３４】
芝４ａが全面に植え込まれたティグラウンド４の所望の位置にティマーク１を配置する際には、脚部３ｄがティグラウンド４に略当接するまで、鋭利部３ａを突き刺す。これにより、ティマーク１はティグラウンド４上に固定配置される。
【００３５】
この時、ティマーク１とティグラウンド４との間には、脚部３ｄの高さに相当する空間Ｄが確保される。
【００３６】
従って、ティマーク１の配置位置に植え込まれていた芝４ａは押し潰されることなく、且つ、上述した空間Ｄにより通気性も確保され、芝４ａの損傷等を防止することが出来る。
【００３７】
尚、本実施の形態１では、円柱斜切型のティマークとしたが、これに限らず、例えば、図６〜図８に示すようなパインブランチ型でも良い。
【００３８】
実施の形態２．
以下、本実施の形態２におけるティマークについて、図面に基づいて簡単に説明する。
【００３９】
図６は、本考案を実施する為の実施の形態２におけるティマークをティグラウンドに固定配置した状態を示す側面図である。
【００４０】
図７は、ベース部３の一側面図である。
【００４１】
図８は、ティグラウンドが位置する方向から見たベース部３の下面図である。
【００４２】
実施の形態１との相違点は、ティマークの形状のみである。即ち、実施の形態１では、円柱斜切型のティマークであったが、本実施の形態２では、パインブランチ型のティマークである。その他については、同一の用途、機能である。従って、同一の用途、機能を示す構成要素には同一の符号を付している。
【００４３】
本実施の形態２におけるティマーク１では、安定性を確保する為、長手方向の両端に脚部３ｄを設け、且つ、鋭利部３ａも両端付近にそれぞれ設けている。
【００４４】
このようなティマーク１を芝４ａが全面に植え込まれたティグラウンド４の所望の位置に配置する際には、脚部３ｄがティグラウンド４に略当接するまで、鋭利部３ａを突き刺せば良い。これにより、ティマーク１はティグラウンド４上に固定配置される。
【００４５】
この時、ティマーク１とティグラウンド４との間には、脚部３ｄの高さに相当する空間Ｄが確保される。
【００４６】
従って、ティマーク１の配置位置に植え込まれていた芝４ａは押し潰されることなく、且つ、上述した空間Ｄにより通気性も確保され、芝４ａの損傷等を防止することが出来る。
【図面の簡単な説明】
【００４７】
【図１】本考案を実施する為の実施の形態１におけるティマークをティグラウンドに固定配置した状態を示す側面図である。
【図２】ベース部３の一側面図である。
【図３】本体部２が位置する方向から見たベース部３の上面図である。
【図４】図３と反対方向から見たベース部３の下面図である。
【図５】図３に示すＡ−Ａ断面図である。
【図６】本考案を実施する為の実施の形態２におけるティマークをティグラウンドに固定配置した状態を示す側面図である。
【図７】ベース部３の一側面図である。
【図８】ティグラウンドが位置する方向から見たベース部３の下面図である。
【図９】従来のティマークをティグラウンドに配置した際の状態を示す側面図である。
【図１０】従来のティマークをティグラウンドに配置した際の状態を示す側面図である。
【符号の説明】
【００４８】
１  ティマーク
２  本体部
３  ベース部
３ｄ  脚部
４  ティグラウンド
Ｄ  所定の空間
【図１】
0003129592.tif 000003
【図２】
0003129592.tif 000004
【図３】
0003129592.tif 000005
【図４】
0003129592.tif 000006
【図５】
0003129592.tif 000007
【図６】
0003129592.tif 000008
【図７】
0003129592.tif 000009
【図８】
0003129592.tif 000010
【図９】
0003129592.tif 000011
【図１０】
0003129592.tif 000012